(57)【要約】【課題】生体情報を逐次測定する場合と比較して生体情報の測定装置の消費電力を抑制することが可能な画像形成装置及びプログラムを提供する。【解決手段】画像形成装置４は、画像形成装置は、利用者に装着されて利用者の生体情報を測定するウェアラブル端末装置２（測定装置）に生体情報の測定の開始を指示する測定開始指示手段４０１と、ウェアラブル端末装置２により測定され生体情報を取得する生体情報取得手段４０２とを備える。【選択図】図１
2018161763.tif 000002
【特許請求の範囲】
【請求項１】
利用者に装着されて前記利用者の生体情報を測定する測定装置に前記生体情報の測定の開始を指示する指示手段と、
前記測定装置により測定され生体情報を取得する取得手段と、
を備えた画像形成装置。
【請求項２】
前記指示手段は、前記生体情報に関する測定項目に応じた測定開始時点が登録された登録情報に基づいて前記生体情報の測定の開始を指示する、
請求項１に記載の画像形成装置。
【請求項３】
前記測定開始時点は、当該画像形成装置を利用する時を含む、
請求項２に記載の画像形成装置。
【請求項４】
前記測定開始時点は、印刷指示情報が当該画像形成装置に送信された時を含む、
請求項３に記載の画像形成装置。
【請求項５】
前記測定開始時点は、当該画像形成装置の操作部に対して操作された時を含む、
請求項３に記載の画像形成装置。
【請求項６】
前記測定開始時点は、当該画像形成装置の利用とは無関係の時を含む、
請求項２に記載の画像形成装置。
【請求項７】
前記測定開始時点は、予め定められた時刻を含む、
請求項６に記載の画像形成装置。
【請求項８】
前記測定開始時点は、起床時を含む、
請求項６に記載の画像形成装置。
【請求項９】
前記利用者から画像処理に関する操作を受け付ける受付手段と、
前記操作に基づく画像処理が終了したとき、前記生体情報に対する分析結果を通知する通知手段と、をさらに備えた請求項１又は２に記載の画像形成装置。
【請求項１０】
前記通知手段は、前記分析結果を当該画像形成装置の表示画面に表示する、
請求項９に記載の画像形成装置。
【請求項１１】
前記通知手段は、前記画像処理が終了したときに前記生体情報の測定が終了していない場合、前記分析結果を外部に通知する、
請求項９に記載の画像形成装置。
【請求項１２】
前記通知手段は、前記画像処理が終了したときに前記生体情報の測定が終了していない場合、前記分析結果の複数の通知方法から選択された通知方法によって前記分析結果を通知する、
請求項９に記載の画像形成装置。
【請求項１３】
前記通知手段は、前記画像処理が終了したときに前記生体情報の測定が終了していない場合、前記分析結果を段階的に通知する、
請求項９から１２のいずれか１項に記載の画像形成装置。
【請求項１４】
コンピュータを、
利用者に装着されて前記利用者の生体情報を測定する測定装置に、前記生体情報に関する測定項目に応じた測定開始時点が登録された登録情報に基づいて前記生体情報の測定の開始を指示する指示手段と、
前記測定装置により測定され生体情報を取得する取得手段として、機能させるためのプログラム。
【発明の詳細な説明】
【技術分野】
【０００１】
本発明は、画像形成装置及びプログラムに関する。
【背景技術】
【０００２】
近年、オフィス等に置かれた画像形成装置の既存の機能を利用して利便性が高い健康管理の環境をユーザに提供する健康管理システムが提案されている（例えば、特許文献１参照。）。
【０００３】
特許文献１に記載された健康管理システムは、所定の組織の敷地内に配置された複数の画像形成装置と、認証に成功した時点で複数の画像形成装置のうち負荷が最も少ない画像形成装置を特定し、特定された画像形成装置を用いて組織の構成員に対して健康管理データを提供するものである。
【先行技術文献】
【特許文献】
【０００４】
【特許文献１】特開２０１３−２１８５６１号公報
【発明の概要】
【発明が解決しようとする課題】
【０００５】
本発明の課題の一つは、生体情報を逐次測定する場合と比較して生体情報の測定装置の消費電力を抑制することが可能な画像形成装置及びプログラムを提供することにある。
【課題を解決するための手段】
【０００６】
［１］利用者に装着されて前記利用者の生体情報を測定する測定装置に前記生体情報の測定の開始を指示する指示手段と、
前記測定装置により測定され生体情報を取得する取得手段と、を備えた画像形成装置。
［２］前記指示手段は、前記生体情報に関する測定項目に応じた測定開始時点が登録された登録情報に基づいて前記生体情報の測定の開始を指示する、前記［１］に記載の画像形成装置。
［３］前記測定開始時点は、当該画像形成装置を利用する時を含む、前記［２］に記載の画像形成装置。
［４］前記測定開始時点は、印刷指示情報が当該画像形成装置に送信された時を含む、前記［３］に記載の画像形成装置。
［５］前記測定開始時点は、当該画像形成装置の操作部に対して操作された時を含む、前記［３］に記載の画像形成装置。
［６］前記測定開始時点は、当該画像形成装置の利用とは無関係の時を含む、前記［２］に記載の画像形成装置。
［７］前記測定開始時点は、予め定められた時刻を含む、前記［６］に記載の画像形成装置。
［８］前記測定開始時点は、起床時を含む、前記［６］に記載の画像形成装置。
［９］前記利用者から画像処理に関する操作を受け付ける受付手段と、
前記操作に基づく画像処理が終了したとき、前記生体情報に対する分析結果を通知する通知手段と、をさらに備えた前記［１］又は［２］に記載の画像形成装置。
［１０］前記通知手段は、前記分析結果を当該画像形成装置の表示画面に表示する、前記［９］に記載の画像形成装置。
［１１］前記通知手段は、前記画像処理が終了したときに前記生体情報の測定が終了していない場合、前記分析結果を外部に通知する、前記［９］に記載の画像形成装置。
［１２］前記通知手段は、前記画像処理が終了したときに前記生体情報の測定が終了していない場合、前記分析結果の複数の通知方法から選択された通知方法によって前記分析結果を通知する、前記［９］に記載の画像形成装置。
［１３］前記通知手段は、前記画像処理が終了したときに前記生体情報の測定が終了していない場合、前記分析結果を段階的に通知する、前記［９］から［１２］のいずれかに記載の画像形成装置。
［１４］コンピュータを、利用者に装着されて前記利用者の生体情報を測定する測定装置に、前記生体情報に関する測定項目に応じた測定開始時点が登録された登録情報に基づいて前記生体情報の測定の開始を指示する指示手段と、
前記測定装置により測定され生体情報を取得する取得手段として、機能させるためのプログラム。
【発明の効果】
【０００７】
請求項１、２、１４に係る発明によれば、生体情報を逐次測定する構成と比較して生体情報の測定装置の消費電力を抑制することが可能になる。
請求項３〜５に係る発明によれば、画像形成装置を利用している場合に生体情報を測定することができる。
請求項６〜８に係る発明によれば、画像形成装置を利用していない場合でも生体情報を測定することができる。
請求項９、１０に係る発明によれば、画像処理が終了したときに生体情報に対する分析結果を知ることができる。
請求項１１〜１３に係る発明によれば、画像処理が終了したときに生体情報の測定が終了していない場合でも、生体情報に対する分析結果を知ることができる。
【図面の簡単な説明】
【０００８】
【図１】図１は、本発明の第１の実施の形態に係る画像処理システムの構成例を示す図である。
【図２】図２は、第１の実施の形態に係る画像処理システムの制御系の一例を示すブロック図である。
【図３】図３は、生体情報測定管理テーブルの一例を示す図である。
【図４】図４は、ユーザテーブルの一例を示す図である。
【図５】図５は、生体情報測定結果テーブルの一例を示す図である。
【図６】図６（ａ）〜（ｄ）は、操作表示部に表示される画面の一例を示す図である。
【図７】図７（ａ）〜（ｄ）は、操作表示部に表示される画面の一例を示す図である。
【図８】図８は、第１の実施の形態に係る画像処理システムの動作の一例をフローチャートである。
【図９】図９（ａ）〜（ｃ）は、本発明の第２の実施の形態に係る操作表示部に表示される画面の一例を示す図である。
【図１０Ａ】図１０Ａ（ａ）〜（ｃ）は、本発明の第３の実施の形態に係る操作表示部に表示される画面の一例を示す図である。
【図１０Ｂ】図１０Ｂ（ｄ）〜（ｆ）は、本発明の第３の実施の形態に係る操作表示部に表示される画面の一例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像形成装置は、利用者に装着されて利用者の生体情報を測定する測定装置に、生体情報に関する測定項目に応じた測定開始時点が登録された登録情報に基づいて生体情報の測定の開始を指示する指示手段と、上記測定装置により測定され生体情報を取得する取得手段とを備える。
【００１１】
「利用者」とは、画像形成装置を利用する権限を有するものをいう。「生体情報に関する測定項目」には、例えば、血圧、心拍数、体温等がある。「測定開始時点」は、測定を開始する時点であり、例えば、測定項目に応じて最適あるいは好ましい測定開始時点がある。
【００１２】
また、本実施の形態に係る画像形成装置は、利用者から画像処理に関する操作を受け付ける受付手段と、上記操作に基づく画像処理が終了したとき、生体情報に対する分析結果を通知する通知手段と、をさらに備えてもよい。
【００１３】
「画像処理に関する操作」とは、スキャン、プリント、コピー、ファクシミリ等の画像処理を必要とする処理を指示する操作をいう。「画像処理が終了したとき」とは、画像処理を実行するプログラムの動作が終了したときをいい、当該プログラムの動作が終了した後の動作、例えば、印刷された用紙の出力動作、ファクシミリ通信により相手通信機器で用紙の出力動作が終わっていなくてもよい。
【００１４】
［第１の実施の形態］
図１は、本発明の第１の実施の形態に係る画像処理システムの構成例を示す図である。この画像処理システム１は、ユーザに装着されてユーザの生体情報を測定するウェアラブル端末装置２と、ユーザが操作するユーザ端末装置３と、ユーザが指示した画像処理を実行する画像形成装置４とを備える。ユーザは、利用者の一例である。ウェアラブル端末装置２は、測定装置の一例である。ユーザ端末装置３は、外部装置の一例である。
【００１５】
ユーザ端末装置３及び画像形成装置４は、ネットワーク５によって互いに接続されている。ネットワーク５は、例えば、ＬＡＮ（Local Area Network）、インターネット等であり、有線でも無線でもよい。
【００１６】
ユーザ端末装置３は、例えば、パーソナルコンピュータ、多機能携帯電話機（スマートフォン）等の携帯型の情報処理装置を用いることができる。
【００１７】
画像形成装置４は、例えば、スキャン、プリント、コピー等の複数の機能を有する複合機である。スキャン、プリント、コピーは、画像処理の一例である。
【００１８】
図２は、第１の実施の形態に係る画像処理システム１の制御系の一例を示すブロック図である。
【００１９】
（ウェアラブル端末装置２の構成）
ウェアラブル端末装置２は、ウェアラブル端末装置２の各部を制御する制御部２０と、各種の情報を記憶する記憶部２１と、ユーザの生体情報を測定する生体情報測定部２２と、自装置２の姿勢を検出する姿勢検出部２３と、タイマ２４と、画像形成装置４と無線通信を行う無線通信部２５と、ウェアラブル端末装置２の各部に電源を供給する電源部２６とを備える。
【００２０】
ウェアラブル端末装置２には、腕に装着するリストバンド型、腰に装着するベルト型、左右の腕、肩、胸、背中等に接触するシャツ型、頭部に装着するメガネ型あるいはゴーグル型、耳に装着するイヤホン型等がある。本実施の形態では、リストバンド型を用いるが、他のタイプのものを用いてもよく、複数のタイプのものを併用してよい。疲労度の推定に眼電位を用いる場合には、例えば、眼電位センサを備えたメガネ型のウェアラブル端末装置を用いてもよい。また、疲労度の推定に顔写真を用いる場合には、例えば、ユーザ端末装置３が有するカメラを用いてもよい。
【００２１】
制御部２０は、ＣＰＵ（Central Processing Unit）、インターフェース等から構成されている。制御部２０の機能については後述する。
【００２２】
記憶部２１は、ＲＯＭ（Read Only Memory）、ＲＡＭ（Random Access Memory）等から構成され、ＣＰＵのプログラム２１０、ユーザを識別するユーザＩＤ２１１、画像形成装置４から送信された測定管理情報２１２等が記憶される。測定管理情報２１２の詳細については後述する。
【００２３】
生体情報測定部２２は、例えば、心拍数を測定する心拍計と、血圧を測定する血圧計と、体温を測定する体温計とを備える。心拍計、血圧計及び体温計は、それぞれ制御部２０から出力される測定開始信号に基づいて測定を開始し、測定管理情報で定められた測定時間測定する。生体情報測定部２２により測定された心拍数、血圧及び体温は、測定日時とともに、制御部２０の制御により、ユーザを識別するユーザＩＤに対応付けて生体情報として記憶部２１に記憶される。なお、生体情報測定部２２は、心拍数、血圧及び体温以外に他の生体情報を測定してもよい。
【００２４】
姿勢検出部２３は、例えば、加速度センサ、角速度センサ、地磁気センサのセンサ値用いてウェアラブル端末装置２の姿勢を検出する。
【００２５】
タイマ２４は、電波時計を有しており、現在時刻を制御部２０に出力する。また、タイマ２４は、経時した時間を制御部２０に出力する。
【００２６】
無線通信部２５は、例えば、Ｂｌｕｅｔｏｏｔｈ（登録商標）やＷｉ−Ｆｉ（登録商標）等の無線ＬＡＮを用いることができる。
【００２７】
電源部２６は、例えば、二次電池、太陽電池等の電池等を用いることができる。
【００２８】
制御部２０は、タイマ２４を用いて記憶部２１に記憶された測定管理情報２１２に含まれる測定開始時点になると、測定開始信号を測定管理情報２１２に含まれる測定項目に対応する生体情報測定部２２の心拍計、血圧計又は体温計に送信する。また、制御部２０は、画像形成装置４から測定開始信号が送信された場合も測定開始信号を生体情報測定部２２に送信する。
【００２９】
制御部２０は、姿勢検出部２３により検出された自装置２の姿勢に基づいてユーザが起床したことを検出すると、起床時の血圧が測定項目として選択されている場合には、起床時の血圧を測定するよう血圧計を制御する。すなわち、制御部２０は、ユーザに起床時に血圧計に測定開始信号を送信し、測定管理情報２１２として定められた測定時間（例えば、３０秒）測定させる。ウェアラブル端末装置２がリフトバンド型の場合、ウェアラブル端末装置２の向きによってユーザが寝ているか立っているかが分かる。したがって、制御部２０は、姿勢検出部２３が検出した自装置２の姿勢に基づいてユーザが立っている状態、すなわち起床した状態を検出することができる。
【００３０】
また、制御部２０は、生体情報測定部２２によって測定された生体情報を記憶部２１に記憶するとともに、その生体情報をユーザＩＤとともに画像形成装置４に送信する。
【００３１】
（ユーザ端末装置の構成）
ユーザ端末装置３は、ユーザ端末装置３の各部を制御する制御部３０と、各種の情報を記憶する記憶部３１と、キーボード、マウス等により実現される入力部３２と、液晶ディスプレイ等により実現される表示部３３と、例えばＮＩＣ（Network Interface Card）等によって実現され、ネットワーク５を介して画像形成装置４と通信するネットワーク通信部３４とを備える。なお、入力部３２及び表示部３３は、タッチパネルディスプレイにより構成してもよい。
【００３２】
記憶部３１は、ＲＯＭ（Read Only Memory）、ＲＡＭ（Random Access Memory）、ハードディスク等から構成され、プリンタドライバ等のプログラム３１０と、文書データ３１１等が記憶される。なお、文書データ３１１には、写真、図表、イラスト等のデータが含まれていてもよい。
【００３３】
制御部３０は、ＣＰＵ（Central Processing Unit）、インターフェース等から構成されている。制御部３０は、ユーザが入力部３２を操作して記憶部３１から印刷対象の文書データ３１１を選択し、印刷条件を設定すると、印刷ジョブを生成する。印刷ジョブは、ユーザＩＤ、印刷条件、及び文書データ３１１が画像形成装置４で解釈可能なページ記述言語（ＰＤＬ：Page Description Language）で記述されたものである。制御部３０は、印刷ジョブをネットワーク通信部３４及びネットワーク５を介して画像形成装置４に送信する。
【００３４】
（画像形成装置の構成）
画像形成装置４は、画像形成装置４の各部を制御する制御部４０と、各種の情報を記憶する記憶部４１と、ユーザからの操作を受け付けるとともに情報を表示する操作表示部４２と、原稿から画像データを読み取るスキャナ部４３と、文書データ３１１がＰＤＬで記述された印刷データを用紙に印刷するプリンタ部４４と、例えばＮＩＣ（Network Interface Card）等によって実現され、ネットワーク５を介してユーザ端末装置３と通信するネットワーク通信部４５と、ウェアラブル端末装置２と無線通信を行う無線通信部４６とを備える。操作表示部４２は、操作部の一例である。
【００３５】
制御部４０は、ＣＰＵ（Central Processing Unit）、インターフェース等から構成されている。ＣＰＵは、記憶部４１に格納されたプログラム４１０に従って動作することにより、登録手段４００、測定開始指示手段４０１、生体情報取得手段４０２、分析手段４０３、通知手段４０４等として機能する。各手段４００〜４０４の詳細については後述する。測定開始指示手段４０１は、生体情報の測定の開始を指示する指示手段の一例である。
【００３６】
記憶部４１は、ＲＯＭ（Read Only Memory）、ＲＡＭ（Random Access Memory）、ハードディスク等から構成され、プログラム４１０、生体情報測定管理テーブル４１１（図３参照）、ユーザテーブル４１２（図４参照）、生体情報測定結果テーブル４１３（図５参照）等が記憶される。生体情報測定管理テーブル４１１は、登録情報の一例である。
【００３７】
（生体情報測定管理テーブルの構成）
図３は、生体情報測定管理テーブル４１１の一例を示す図である。生体情報測定管理テーブル４１１には、サービス名が登録される「サービス名」欄と、測定項目として、例えば起床時の血圧、心拍数、体温、血圧が登録される「測定項目」欄と、測定時間が登録される「測定時間」欄と、測定開始時点が登録される「測定開始時点」欄と、ウェアラブル端末装置への指示時点が登録される「ウェアラブル端末装置への指示時点」欄とが設けられている。サービス名、測定項目、測定時間、測定開始時点、ウェアラブル端末装置への指示時点からなる情報をそれぞれ測定管理情報４１１ａ〜４１１ｄとする。起床時の血圧、心拍数、体温、血圧は、生体情報に関する測定項目の一例である。
【００３８】
（ユーザテーブルの構成）
図４は、ユーザテーブル４１２の一例を示す図である。ユーザテーブル４１２には、ユーザＩＤが登録される「ユーザＩＤ」欄と、当該ユーザＩＤのユーザが利用するサービス名が登録される「利用サービス名」欄とが設けられている。
【００３９】
（生体情報測定結果テーブルの構成）
図５は、生体情報測定結果テーブル４１３の一例を示す図である。生体情報測定結果テーブル４１３は、ユーザＩＤごと及び測定項目ごとに設けられている。同図に示す場合は、ユーザＩＤ「user001」、測定項目が体温の場合を示している。生体情報測定結果テーブル４１３には、測定日時が登録される「測定日時」欄と、測定結果が登録される「測定結果」欄と、分析結果が登録される「分析結果」欄とが設けられている。「分析結果」欄には、分析結果として、例えば、基準の範囲に入っていることを示す「○」、基準の範囲からやや外れていることを示す「△」、基準の範囲から大きく外れていることを示す「×」が登録される。なお、分析結果は、評価値でもよい。
【００４０】
登録手段４００は、ウェアラブル端末装置２から送信された登録申請に基づいて、又は操作表示部４２に対する操作に基づいて、ユーザがどのサービスを利用するかを図４に示すユーザテーブル４１３に登録する。また、登録手段４００は、ユーザが利用するサービス名、及びサービス名に対応する測定項目、測定時間、測定開始時点、ウェアラブル端末装置への指示時点を含む測定管理情報４１１ａ〜４１１ｄを登録申請があったウェアラブル端末装置２に送信する。
【００４１】
測定開始指示手段４０１は、測定管理情報４１１ａ〜４１１ｄに基づいて対応するユーザのウェアラブル端末装置２に測定開始信号を送信する。
【００４２】
生体情報取得手段４０２は、ウェアラブル端末装置２から送信される生体情報を取得する。生体情報取得手段４０２は、取得した生体情報をユーザＩＤに対応付けて生体情報測定結果テーブル４１３に格納する。
【００４３】
分析手段４０３は、測定結果と標準の範囲とを比較し、測定結果が基準の範囲に入っているか、基準の範囲からやや外れているか、基準の範囲から大きく外れているか等を分析する。分析手段４０３は、分析結果を生体情報測定結果テーブル４１３に登録する。
【００４４】
通知手段４０４は、分析手段４０３による分析結果を操作表示部４２に表示する。また、通知手段４０４は、ユーザが通知方法を指定している場合には、指定された通知方法で分析結果をユーザに通知する。
【００４５】
（第１の実施の形態の動作）
次に、第１の実施の形態に係る画像処理システム１の動作の一例について図８のフローチャートに従って説明する。
【００４６】
（１）登録
ユーザは、画像形成装置４が設置されている場所に行き、ウェアラブル端末装置２を操作して画像形成装置４に対して登録申請を行う（Ｓ１）。登録申請は、例えば、ウェアラブル端末装置２の制御部２０が、ユーザＩＤ及びサービス名を含む登録申請を画像形成装置４に送信してもよい。また、画像形成装置４の操作表示部４２にユーザが利用可能な複数のサービス名を含む登録画面を表示し、登録画面にユーザＩＤを入力し、登録画面からサービス名を選択してもよい。
【００４７】
画像形成装置４の登録手段４００は、ウェアラブル端末装置２から送信された登録申請に基づいて、ユーザテーブル４１２にユーザが選択したサービス名の登録を受け付け（Ｓ１１）、操作表示部４２に登録完了を示すユーザ登録画面を表示する。例えば、ユーザＩＤ「user001」がサービスＡを選択した場合、登録手段４００は、図４に示すように、ユーザテーブル４１２の「サービス名」欄に「user001」に対応してサービスＡを登録する。
【００４８】
図６（ａ）は、ユーザ登録画面の一例を示す図である。登録手段４００は、例えば、図６（ａ）に示すように、ユーザ登録画面４２０に「ウェアラブル端末装置  ユーザ登録完了」のメッセージ４２０ａを表示する。
【００４９】
次に、登録手段４００は、生体情報測定管理テーブル４１１に基づいて、ユーザが選択したサービス名に対応する測定管理情報４１１ａ〜４１１ｄを無線通信部４６により当該ユーザのウェアラブル端末装置２に送信する。例えば、ユーザがサービス名「サービスＡ」を選択した場合、登録手段４００は、測定項目の起床時の血圧及び心拍数、及びこれらの測定項目に関する、測定時間、測定開始時点、ウェアラブル端末装置への指示時点を含む測定管理情報４１１ａ、４１１ｂを当該ユーザのウェアラブル端末装置２に送信する。
【００５０】
ウェアラブル端末装置２の制御部２０は、ユーザが図３に示すサービスＡを利用している場合、画像形成装置４から送信された測定管理情報４１１ａ、４１１ｂを測定管理情報２１２として記憶部２１に記憶する。なお、ユーザが図３に示すサービスＢを利用している場合は、測定管理情報４１１ｃが測定管理情報２１２として記憶部２１に記憶される。また、ユーザが図３に示すサービスＣを利用している場合は、測定管理情報４１１ｄが測定管理情報２１２として記憶部２１に記憶される。
【００５１】
以上の登録作業は、ウェアラブル端末装置２に対して最初に行われ、他は利用するサービスを変更する場合等に行われる。
【００５２】
（２）生体情報の測定が画像処理を終了する前に終了する場合
ユーザが画像形成装置４の操作表示部４２を操作して画像処理としてコピーを選択したとする。画像形成装置４の制御部４０は、画像処理として選択されたコピーの設定画面を操作表示部４２に表示する。
【００５３】
図６（ｂ）は、コピーの設定画面４２１の一例を示す図である。コピーの設定画面４２１には、コピーの実行を指示するための「開始」ボタン４２１ａが表示されている。ユーザは、コピーの設定画面４２１に対して必要な設定を行った後、「開始」ボタン４２１ａを操作する。画像形成装置４は画像処理としてコピーを受け付ける（Ｓ２１）。
【００５４】
画像形成装置４の測定開始指示手段４０１は、図３に示すサービスＣを利用しているユーザがいる場合、図３に示す測定管理情報４１１ｄに基づいてウェアラブル端末装置２の生体情報測定部２２の測定開始時点等を制御する。すなわち、サービスＣの場合、測定開始時点が画像形成装置操作時であるので、測定開始指示手段４０１は、コピーの「開始」ボタン４２１ａが操作されたとき、測定開始信号を当該ユーザのウェアラブル端末装置２に送信する（Ｓ２２）。
【００５５】
なお、画像形成装置４の制御部４０がユーザ端末装置３から印刷ジョブを受信したとき（Ｓ２３）、図３に示すサービスＡを利用しているユーザがいる場合、図３に示す測定管理情報４１１ａ、４１１ｂに基づいてウェアラブル端末装置２の生体情報測定部２２の測定開始時点等を制御する。すなわち、図３に示すサービスＡの測定項目が心拍数の場合、ウェアラブル端末装置２への指示時点が印刷ジョブ受信時、測定開始時点が印刷ジョブ送信時であるので、測定開始指示手段４０１は、印刷ジョブを受信したとき、測定開始信号を当該ユーザのウェアラブル端末装置２に送信する（Ｓ２２）。
【００５６】
画像形成装置４の制御部４０は、選択された画像処理（コピー）の実行を開始し（Ｓ２４）、コピーの実行状況画面を操作表示部４２に表示する（Ｓ２５）。
【００５７】
図６（ｃ）は、画像処理としてコピーの実行状況画面の一例である。制御部４０は、コピーの実行状況画面４２２に、「コピー中」のメッセージ４２２ａを表示する。
【００５８】
画像形成装置４がウェアラブル端末装置２から測定結果を受信している場合（Ｓ２６：Ｙｅｓ）、分析手段４０３は、測定結果を分析し（Ｓ２７）、画像処理が終了したら（Ｓ２８：Ｙｅｓ）、分析結果通知画面を操作表示部４２に表示する（Ｓ２９）。例えば、図３に示すサービスＣを利用している場合、血圧の測定は３０秒で終わるため、コピーの画像処理が終了する前に血圧の測定結果を受信している場合がある。
【００５９】
図６（ｄ）は、分析結果通知画面の一例を示す図である。分析手段４０３は、分析結果通知画面４２３に、例えば、「あなたの○○は、基準の範囲に入っています。」のメッセージ４２３ａを表示する。
【００６０】
上記ステップＳ２２において、画像形成装置４がウェアラブル端末装置２に測定開始信号を送信すると、ウェアラブル端末装置２は、画像形成装置４から送信された測定開始信号を受信する（Ｓ３）。当該ユーザが図３に示すサービスＣを利用している場合、ウェアラブル端末装置２の制御部２０は、画像形成装置４から送信された測定開始信号及び測定管理情報２１２に基づいて、生体情報測定部２２の血圧計に測定開始信号を送信する。血圧計は、制御部２０からの測定開始信号に基づいて血圧の測定を開始する（Ｓ４）。血圧計が血圧を測定管理情報２１２で定められた測定時間（３０秒）測定すると、制御部２０は、測定結果をユーザＩＤに対応付けて記憶部２１に記憶するとともに、測定結果をユーザＩＤとともに無線通信部２５により画像形成装置４に送信する（Ｓ５）。測定結果を画像形成装置４に送信した後は、上記ステップＳ２６〜Ｓ２９が実行される。
【００６１】
ステップＳ３において、当該ユーザが図３に示すサービスＡを利用している場合において、測定項目が起床時の血圧の場合、測定開始時点が起床時であるので、姿勢検出部２３の検出により制御部２０がユーザが起床したと判断すると、制御部２０は、生体情報測定部２２の血圧計に測定開始信号を送信する（Ｓ３）。血圧計は３０秒間ユーザの血圧を測定する（Ｓ４）。制御部２０は、血圧計の測定結果をユーザＩＤに対応付けて記憶部２１に記憶するとともに、画像形成装置４に送信する（Ｓ５）。
【００６２】
ステップＳ３において、当該ユーザが図３に示すサービスＡを利用している場合において、測定項目が心拍数の場合、測定開始時点が印刷ジョブ送信時、ウェアラブル端末装置への指示時点が印刷ジョブ受信時であるので、画像形成装置４から印刷ジョブを受信したために測定開始信号が受信されると、制御部２０は、生体情報測定部２２の心拍数計に測定開始信号を送信する（Ｓ３）。心拍数計は６０秒間ユーザの心拍数を測定する（Ｓ４）。制御部２０は、心拍数計の測定結果をユーザＩＤに対応付けて記憶部２１に記憶するとともに、画像形成装置４に送信する（Ｓ５）。
【００６３】
ステップＳ３において、当該ユーザが図３に示すサービスＢを利用している場合において、測定項目が体温の場合、制御部２０は、タイマ２４により図３に示す測定開始時点のＡＭ8：00を検出すると、生体情報測定部２２の体温計に測定開始信号を送信する（Ｓ３）。体温計は１０秒間ユーザの体温を測定する（Ｓ４）。制御部２０は、体温計の測定結果をユーザＩＤに対応付けて記憶部２１に記憶するとともに、画像形成装置４に送信する（Ｓ５）。
【００６４】
（３）生体情報の測定が画像処理を終了した後に終了する場合
ユーザが画像形成装置４の操作表示部４２を操作して画像処理としてコピーを選択したとする。画像形成装置４の制御部４０は、図７（ａ）に示すように、画像処理として選択されたコピーの設定画面４２１を操作表示部４２に表示する。
【００６５】
ユーザは、コピーの設定画面４２１に対して必要な設定を行い、「開始」ボタン４２１ａを操作すると、画像形成装置４は画像処理としてコピーを受け付ける（Ｓ２１）。
【００６６】
画像形成装置４の測定開始指示手段４０１は、図３に示すサービスＣを利用しているユーザがいる場合には、コピーの「開始」ボタン４２１ａの操作に基づいて、測定開始信号を当該ユーザのウェアラブル端末装置２に送信する（Ｓ２２）。
【００６７】
画像形成装置４の制御部４０は、選択された画像処理（コピー）の実行を開始し（Ｓ２４）、図７（ｂ）に示すように、コピーの実行状況画面４２２を操作表示部４２に表示する（Ｓ２５）。
【００６８】
上記ステップＳ２６において、測定結果を受信していない場合（Ｓ２６：Ｎｏ）、画像処理が終了すると（Ｓ３１：Ｙｅｓ）、通知手段４０４は操作表示部４２に通知選択画面４２４を操作表示部４２に表示する。例えば、図３に示すサービスＣを利用している場合、血圧の測定は３０秒で終わるが、コピーの画像処理が終了する前に血圧の測定結果を受信していない場合がある。
【００６９】
図７（ｃ）は、通知選択画面４２４の一例を示す図である。通知選択画面４２４には、画像処理が終了をしたことを示す「終了」４２４ａと、［あと１０秒待つ］４２４ｂ、［メール送信］４２４ｃ、［今回は見ない］４２４ｄの選択項目とを表示する。ユーザが［あと１０秒待つ］４２４ｂを選択したとする（Ｓ３２）。
【００７０】
画像形成装置４が測定結果を受信すると（Ｓ３３：Ｙｅｓ）、分析手段４０３は、測定結果を分析する（Ｓ３４）。すなわち、分析手段４０３は、測定結果と基準の範囲とを比較し、測定結果が基準の範囲に入っているか、基準の範囲からやや外れているか、基準の範囲から大きく外れているか等を分析する。分析手段４０３は、分析結果を生体情報測定結果テーブル４１３に登録する。
【００７１】
通知手段４０４は、上記ステップＳ３２で選択された通知方法で分析結果を通知する（Ｓ３５）。上記ステップＳ３２において、［あと１０秒待つ］４２３ａが選択された場合は、１０秒後に分析結果通知画面を操作表示部４２に表示する。
【００７２】
ステップＳ３２において、［メール送信］４２４ｃが選択された場合は、通知手段４０４は、ユーザ端末装置３に分析結果をメールで通知する。なお、ユーザが所持する携帯電話機にメールで通知してもよい。また、ステップＳ３２において、［今回は見ない］４２４ｄが選択された場合は、通知手段４０４は、分析結果をいずれにも通知しない。
【００７３】
図７（ｄ）は、分析結果通知画面の一例を示す図である。分析結果通知画面４２３には、例えば「あなたの○○は基準の範囲に入っています。」のメッセージ４２３ａが表示される。
【００７４】
生体情報測定部２２は、制御部２０から測定開始信号が送信されたときに生体情報を予め定められた時間測定する。このとき、電源部２６の電力が消費される。したがって、生体情報を逐次測定する場合よりも電源部２６の消費電力が抑制される。
【００７５】
［第２の実施の形態］
図９（ａ）〜（ｃ）は、本発明の第２の実施の形態に係る操作表示部に表示する画面の一例を示す図である。第１の実施の形態では、分析結果が全て終了してから分析結果を操作表示部に表示したが、本実施の形態は、画像処理が終了した時点で分析結果が終了した範囲で分析結果を表示し、残りの分析結果が得られたときに残りの分析結果を表示することにより、分析結果を段階的に表示するようにしたものである。以下、第１の実施の形態と異なる点を中心に説明する。
【００７６】
通知手段４０４は、画像処理が終了した時点で分析結果が終了した範囲で分析結果を表示し、残りの分析結果が得られたときに残りの分析結果を表示することにより、分析結果を段階的に表示する。
【００７７】
（第２の実施の形態の動作）
ユーザが画像形成装置４の操作表示部４２を操作して画像処理としてコピーを選択したとする。画像形成装置４の制御部４０は、図９（ａ）に示すように、画像処理として選択されたコピーの設定画面４２１を操作表示部４２に表示する。
【００７８】
ユーザは、コピーの設定画面４２１に対して「開始」ボタン４２１ａを操作すると、画像形成装置４の制御部４０は、画像処理としてコピーを受け付ける（Ｓ２１）。
【００７９】
画像形成装置４の測定開始指示手段４０１は、ユーザが図３に示すサービスＣを利用している場合、コピーの「開始」ボタン４２１ａの操作に基づいて、測定開始信号を当該ユーザのウェアラブル端末装置２に送信する（Ｓ２２）。
【００８０】
画像形成装置４の制御部４０は、選択された画像処理（コピー）の実行を開始し（Ｓ２４）、図９（ｂ）に示すように、コピーの実行状況画面４２２を操作表示部４２に表示する（Ｓ２５）。
【００８１】
上記ステップＳ２６において、測定結果を受信していない場合（Ｓ２６：Ｎｏ）、画像処理が終了すると（Ｓ３１：Ｙｅｓ）、通知手段４０４は、操作表示部４２に通知選択画面４２４を表示する。
【００８２】
図９（ｃ）は、通知選択画面４２４の一例を示す図である。通知選択画面４２４には、画像処理が終了をしたことを示す「終了」４２４ａと、［あと１０秒待つ］４２４ｂ、［メール送信］４２４ｃ、［今回は見ない］４２４ｄの選択項目とを表示する。ユーザが［あと１０秒待つ］４２４ｂを選択したとする（Ｓ３２）。
【００８３】
測定結果を受信すると（Ｓ３３：Ｙｅｓ）、分析手段４０３は、測定結果を分析する（Ｓ３４）。
【００８４】
通知手段４０４は、上記ステップＳ３２で選択された通知方法で分析結果を通知する（Ｓ３５）。上記ステップＳ３２において、［あと１０秒待つ］４２４ｂが選択された場合は、約１０秒後に分析結果通知画面４２３を操作表示部４２に表示する。
【００８５】
図９（ｄ）、（ｅ）は、分析結果通知画面４２３の一例を示す図である。分析結果通知画面４２４には、例えば画像処理が終了したことを示す「終了」４２３ｂ、分析結果として予定の測定項目の心拍数及び血圧のうち血圧の分析結果のみが得られている場合は、通知手段４０４は、図９（ｄ）に示すように、「あなたの血圧は、基準の範囲に入っています。」のメッセージ４２３ａを分析結果通知画面４２３に表示する。その後に心拍数の分析結果が得られたら、通知手段４０４は、図９（ｅ）に示すように、「あなたの心拍数は、基準の範囲に入っています。」のメッセージ４２３ａを分析結果通知画面４２３に表示する。なお、図９（ｅ）において、図９（ｄ）に表示した分析結果を含めて「あなたの血圧・心拍数は、基準の範囲に入っています。」のように表示してもよい。
【００８６】
［第３の実施の形態］
図１０（ａ）〜（ｆ）は、本発明の第３の実施の形態に係る操作表示部に表示する画面の一例を示す図である。第１の実施の形態では、分析結果が全て終了してから分析結果を操作表示部に表示したが、本実施の形態は、画像処理が終了した後に分析結果が得られた場合、測定項目ごとに分析結果が得られる度に分析結果を表示することにより、分析結果を段階的に表示するようにしたものである。以下、第１の実施の形態と異なる点を中心に説明する。
【００８７】
通知手段４０４は、画像処理が終了した後に分析結果が得られた場合、測定項目ごとに分析結果が得られる度に分析結果を表示することにより、分析結果を段階的に表示する。
【００８８】
（第３の実施の形態の動作）
ユーザが画像形成装置４の操作表示部４２を操作して画像処理としてコピーを選択したとする。画像形成装置４の制御部４０は、図１０（ａ）に示すように、画像処理として選択されたコピーの設定画面４２１を操作表示部４２に表示する。
【００８９】
ユーザは、コピーの設定画面４２１に対して「開始」ボタン４２１ａを操作すると、画像形成装置４の制御部４０は、画像処理としてコピーを受け付ける（Ｓ２１）。
【００９０】
画像形成装置４の測定開始指示手段４０１は、コピーの「開始」ボタン４２１ａの操作に基づいて、測定開始信号を当該ユーザのウェアラブル端末装置２に送信する（Ｓ２２）。
【００９１】
画像形成装置４の制御部４０は、ユーザが図３に示すサービスＣを利用している場合、選択された画像処理（コピー）の実行を開始し（Ｓ２４）、図１０（ｂ）に示すように、コピーの実行状況画面４２２を操作表示部４２に表示する（Ｓ２５）。
【００９２】
上記ステップＳ２６において、測定結果を受信していない場合（Ｓ２６：Ｎｏ）、画像処理が終了すると（Ｓ３１：Ｙｅｓ）、通知手段４０４は、操作表示部４２に通知選択画面４２４を表示する。
【００９３】
図１０（ｃ）は、通知選択画面４２４の一例を示す図である。通知選択画面４２４には、画像処理が終了をしたことを示す「終了」４２４ａと、［あと１０秒待つ］４２４ｂ、［メール送信］４２４ｃ、［今回は見ない］４２４ｄ、［分析結果ごとに確認する］４２４ｅの選択項目とを表示する。ユーザが［分析結果ごとに確認する］４２４ｅを選択したとする（Ｓ３２）。
【００９４】
測定結果を受信すると（Ｓ３３：Ｙｅｓ）、分析手段４０３は、測定結果を分析する（Ｓ３４）。
【００９５】
通知手段４０４は、上記ステップＳ３２で選択された通知方法で分析結果を通知する（Ｓ３５）。上記ステップＳ３２において、通知選択画面４２４から［分析結果ごとに確認する］４２４ｅが選択された場合は、分析経過知画面を操作表示部４２に表示する。
【００９６】
図１０（ｄ）、（ｅ）は、分析経過画面の一例を示す図である。心拍数の分析結果が得られた段階で、通知手段４０４は、図１０（ｄ）に示すように「心拍数は基準の範囲に入っています。」のメッセージ４２５ａを分析経過画面４２５に表示する。
【００９７】
次に、血圧の分析結果が得られた段階で、通知手段４０４は、図１０（ｅ）に示すように、「心拍数・血圧は基準の範囲に入っています。」のメッセージ４２５ａを分析経過画面４２５に表示す。
【００９８】
全ての分析結果を通知した後、通知手段４０４は、図１０（ｆ）に示すように、「総合的に見てあなたは基準の範囲に入っています。」のメッセージ４２３ａを分析結果通知画面４２３に表示する。
【００９９】
以上、本発明の実施の形態を説明したが、本発明の実施の形態は上記実施の形態に限定されるものではなく、本発明の要旨を変更しない範囲内で種々の変形、実施が可能である。
【０１００】
制御部２０、３０、４０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１０１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【０１０２】
１…画像処理システム、２…ウェアラブル端末装置、３…ユーザ端末装置、４…画像形成装置、５…ネットワーク、２０…制御部、２１…記憶部、２２…生体情報測定部、２３…姿勢検出部、２４…タイマ、２５…無線通信部、２６…電源部、３０…制御部、３１…記憶部、３２…入力部、３３…表示部、３４…ネットワーク通信部、４０…制御部、４１…記憶部、４２…操作表示部、４３…スキャナ部、４４…プリンタ部、４５…ネットワーク通信部、４６…無線通信部、２１０…プログラム、２１１…ユーザＩＤ、２１２…測定管理情報、３１０…プログラム、３１１…文書データ、４００…登録手段、４０１…測定開始指示手段、４０２…生体情報取得手段、４０３…分析手段、４０４…通知手段、４１０…プログラム、４１１…生体情報測定管理テーブル、４１１ａ〜４１１ｄ…測定管理情報、４１２…ユーザテーブル、４１３…生体情報測定結果テーブル、４２０…ユーザ登録画面、４２０ａ…メッセージ、４２１…コピーの設定画面、４２１ａ…「開始」ボタン、４２２…コピーの実行状況画面、４２２ａ…メッセージ、４２３…分析結果通知画面、４２３ａ…メッセージ、４２４…通知選択画面、４２４ａ…終了、４２４ｂ〜４２４ｅ…選択項目、４２５…分析経過画面、４２５ａ…メッセージ
【図１】
2018161763.tif 000003
【図２】
2018161763.tif 000004
【図３】
2018161763.tif 000005
【図４】
2018161763.tif 000006
【図５】
2018161763.tif 000007
【図６】
2018161763.tif 000008
【図７】
2018161763.tif 000009
【図８】
2018161763.tif 000010
【図９】
2018161763.tif 000011
【図１０Ａ】
2018161763.tif 000012
【図１０Ｂ】
2018161763.tif 000013